(57)【要約】      （修正有）【課題】配線ケーブルを効率的に引き回すことができる太陽電池モジュールを提供する。【解決手段】太陽電池基板と、この太陽電池基板をフレームにより保持する太陽電池モジュール１であって、フレームの一側面部に、太陽電池基板により発電された電力を外部に送電するためのケーブルを引き出すための引出穴が形成されており、フレームの引出穴が形成された一側面部の上端には、隣り合う太陽電池モジュール１の一端部が載置されて取り付ける取付部が形成されており、この取付部の下に沿って、引出穴から引き出されたケーブルがガイドされて引き回されることとした。【選択図】図１
2008088686.tif 000002
【特許請求の範囲】
【請求項１】
太陽電池基板と、この太陽電池基板をフレームにより保持する太陽電池モジュールであって、
上記フレームの一側面部に、上記太陽電池基板により発電された電力を外部に送電するためのケーブルを引き出すための引出穴が形成されている、
ことを特徴とする太陽電池モジュール。
【請求項２】
上記フレームの引出穴が形成された一側面部の上端には、隣り合う太陽電池モジュールの一端部が載置されて取り付けられる取付部が形成されており、上記引出穴から引き出されたケーブルが上記取付部にガイドされて引き回される、
請求項１記載の太陽電池モジュール。
【請求項３】
上記一側面部の下端には、太陽電池モジュールを取付面上で支える基底部が設けられ、
上記取付部と上記基底部との間にはガイド溝が形成され、このガイド溝により上記ケーブルがガイドされて引き回される、
請求項２記載の太陽電池モジュール。
【発明の詳細な説明】
【技術分野】
【０００１】
本発明は、太陽電池モジュールを屋根などに取り付ける際に、配線を行うための技術に関する。
【背景技術】
【０００２】
従来から、屋根などに太陽電池基板とフレームからなる太陽電池モジュールを取り付けるために様々な施工方法がある。
その一例として、太陽電池モジュールの架台の側面に、太陽電池モジュールの電気ケーブルを通過させるための貫通孔が、長手方向に適当な間隔をあけて設けられており、各貫通孔に、配線保護のためのブッシングを設け、電気ケーブルがこの貫通孔内のブッシング内を通過して配線されるようにした構造がある (例えば、特許文献１参照)。
【０００３】
【特許文献１】特開平９−２５０２１９
【発明の開示】
【発明が解決しようとする課題】
【０００４】
しかし、従来の構造では、太陽電池モジュールが屋根上に平面的に配置されていたため、屋根と太陽電池モジュールの間の隙間が狭く、その狭い隙間で電気ケーブルを引き回す必要があるため、上手く引き回すことができずに、作業効率が悪くなるばかりか、断線などの恐れもあった。
また、電気ケーブルを配線する場合には、それをガイドするようになっていなかったため、途中で電気ケーブルがたるんでしまうなどの問題もあった。
【０００５】
本発明は、上述の課題を解決するためになされたものであって、配線ケーブルを効率的に引き回すことができる太陽電池モジュールを提供することを目的とする。
【課題を解決するための手段】
【０００６】
上記目的を達成するため、本発明の一の観点にかかる太陽電池モジュールは、太陽電池基板と、この太陽電池基板をフレームにより保持する太陽電池モジュールであって、上記フレームの一側面部に、上記太陽電池基板により発電された電力を外部に送電するためのケーブルを引き出すための引出穴が形成されていることを特徴とする。
【０００７】
また、上記フレームの引出穴が形成された一側面部の上端には、隣り合う太陽電池モジュールの一端部が載置されて取り付けられる取付部が形成されており、上記引出穴から引き出されたケーブルが上記取付部にガイドされて引き回されていてもよい。
【０００８】
また、上記一側面部の下端には、太陽電池モジュールを取付面上で支える基底部が設けられ、
上記取付部と上記基底部との間にはガイド溝が形成され、このガイド溝により上記ケーブルがガイドされて引き回されるようにしてもよい。
【発明の効果】
【０００９】
本発明によれば、太陽電池モジュールのケーブルが、太陽電池モジュールの自重により押しつぶされたり、また断線することなく引き回すことができる。
また、フレームの引出穴が形成された一側面部の上端には、隣り合う太陽電池モジュールの一端部が載置されて取り付ける取付部が形成されており、この取付部の下に沿って、上記引出穴から引き出されたケーブルがガイドされて引き回されることから、取付部の下に空間ができ、この空間にケーブルを這わせることができ、太陽電池モジュールと縦材等との間でケーブルが押しつぶされることなく配線ができ、断線を防止できる。
また、一側面部の下端には、太陽電池モジュールを取付面上で支える基底部が設けられ、取付部と上記基底部とによりガイド溝が形成され、このガイド溝により上記ケーブルがガイドされて引き回されるようにしたことから、ケーブルを保護しながらガイド溝に沿って効率的に引き回すことができる。
【発明を実施するための最良の形態】
【００１０】
以下、本発明を適用した太陽電池モジュールの例を、図面を参照して説明する。
図１に本実施形態にかかる太陽電池モジュール１を屋根上に複数配置した状態を示す。
太陽電池モジュール１は、屋根３０上に一面に配置されており、各太陽電池モジュール１は、その棟側の上端部が、軒側の下端部よりも持ち上がった形で取り付けられている。
【００１１】
太陽電池モジュール１を取り付ける屋根上などには、図５に示すように固定金具３により屋根上に固定された縦材２により屋根上に固定される。
固定金具３は、図６（ａ）に示すように、ねじなどにより屋根上に所定の間隔を置いて取り付けられている。固定金具３は、金属板を折り曲げて、屋根の瓦上に立ち上がった折曲部を有しており、その長板部がビスにより屋根に固定されている。また瓦上に立ち上がった折曲部上にはボルトを通すための穴が形成されており、差し込みボルトにより、この折曲部に縦材２が取り付けられるようになっている。
【００１２】
図６（ｂ）において、縦材２は、亜鉛めっき鋼板などの部材を折り曲げるようにして形成されており、その下端部が開口した横長の中空の四角柱状に形成されている。縦材２の上端部には、係合部２１と、長孔２２が形成されている。係合部２１は、縦材２上に、所定の間隔（太陽電池モジュール１の縦幅から接合部分１１ｇの幅を引いた長さの間隔）をおいて設けられている。これにより、係合部２１に太陽電池モジュール１が取り付けられた場合、上下に隣り合う太陽電池モジュール１の上側の太陽電池モジュール１の接合部１１ｇと、下側の太陽電池モジュール１のモジュール取付部１１ｂとが重なるようになっている。この係合部２１は、縦材２の上端部を切り起こして上側に突出させて形成されている。したがって、係合部２１は、縦材２の上端面から立ち上がって上側（棟側）に開口し、縦材２上面との間にわずかな隙間ができるようになっている。
長孔２２は、係合部２１、２１間に設けられ、この長孔２２には、固定金具３からの差込ボルトが通され、ナットにより締められることで、縦材２が固定金具３上に固定されるようになっている。
これらの縦材２は、複数連結させることで、屋根の大きさや形に合わせて一面に配置され、平行に設けられた２本の縦材で太陽電池モジュール１を支える。
縦材２の下端部上面には、スタートカバー４を取り付けるためのねじ穴２３が形成されている。スタートカバー４により、太陽電池モジュール１の下に風が入り、その風圧で太陽電池モジュール１が外れないようにすることができる。
【００１３】
太陽電池モジュール１は、図２、図４に示すように、中空枠状のフレーム１１と、このフレーム１１の中空枠内に取り付けられた太陽電池基板１２を有している。
この太陽電池基板１２は、ＣＩＳ太陽電池基板と、この基板の背面を覆う耐候性フィルム等からなる背面材１３と、基板上には基板を保護するための強化処理ガラスが配置され、これらが接着剤により熱圧着されることにより形成されている。
なお、基板は、本実施形態では、ＣＩＳ太陽電池基板を用いているが、本発明はこれに限定されずにシリコン結晶系（単結晶シリコン、多結晶シリコン）又は非結晶系（アモルファスシリコン）又は、化合物系（ＣｄＴｅ、ＧａＡｓなど）の太陽電池基板や、有機系の太陽電池基板などでもよく、その種類は特に限定されない。
太陽電池基板１２の背面には、端子箱１５とこの端子箱１５に接続されたケーブル１４が取り付けられている。
【００１４】
フレーム１１は太陽電池基板１２を保持するためのものである。このフレーム１１の上端部と下端部には、それぞれフレーム１１を屋根上に取り付けるための取付部がフレームの幅方向全体に形成されている。
フレーム１１の上端側の取付部は、図３（ａ）に示すように、太陽電池基板１２を挟持する基板支持部１１ａと、この基板支持部１１から水平方向逆向きに伸びだした平板状のモジュール取付部１１ｂと、モジュール取付部１１ｂから取付面側に垂直に延びだして形成された板状の柱部１１ｃと、柱部１１ｃの下端部に柱部１１ｃとほぼ直交するように形成された板状の係合部１１ｄ及び基底部１１ｅが一体に形成されている。
基板支持部１１ａは、太陽電池基板１２を挟持する部分であり、図３（ａ）に示すようにフレーム１１の中空部側に開口を有する形状となっており、この開口部分に太陽電池基板１２の上端部が嵌められ、接着剤等により接着されることでフレーム１１に固定されるようになっている。
モジュール取付部１１ｂは、図２（ａ）に示すように、穴１１Ｈが４箇所設けられている。この穴１１Ｈは、フレーム１１の幅方向の中心Ｃを基準にして等間隔で対称に設けられ、それぞれ幅方向中心Ｃから距離Ｌ，２Ｌ離れた位置に形成されている。
【００１５】
柱部１１ｃには、図２（ｃ）に示すように、太陽電池基板１２により発電された電力を外部に送電するためのケーブル１４,１４を引き出すための穴１００が２箇所形成されている。この穴１００は、フレーム１１の幅方向の中心Ｃを基準として対称な位置、すなわち、それぞれ中心Ｃから距離Ｌおいた位置に設けられている。
この例では、穴１００の位置が、穴１１Ｈの位置に対応するようになっているが、必ずしも穴１００の位置は穴１１Ｈの位置と対応させる必要はない。
【００１６】
係合部１１ｄは、柱部１１ｃからフレーム内側へ向かって延び出して形成されることで、太陽電池モジュール１を取り付けた状態で軒側に開口して形成されている。太陽電池モジュール１が縦材２に取り付けられる際、この係合部１１ｄは、縦材２の係合部２１に係合するようになっている。
基底部１１ｅは、柱部１１ｃからフレーム外側にそれぞれ向かって延びており、この基底部１１ｅを押さえ金具により押さえることで、太陽電池モジュール１の上端部を縦材２上に固定するようになっている。
【００１７】
また、太陽電池モジュール１の下端側の取付部は、図３（ｂ）に示すように、基板１２を取り付ける基板支持部１１ｊと、この基板支持部１１ｊから垂直下方に延び出した板状の柱部１１ｆと、柱部１１ｆの下端部からフレーム１の外側に延び出し、隣接する太陽電池モジュール１と接合する接合部１１ｇが一体に形成されている。
基板支持部１１ｊは、太陽電池基板１２を挟持する部分であり、図示のようにフレーム１１の中空部側に開口を有する形状となっており、上述の基板支持部１１ａと同様に、開口部分に太陽電池基板１２の上端部が嵌められ、接着剤等により接着されることでフレーム１１に固定されるようになっている。
接合部１１ｇは、柱部１１ｆからフレーム１１の外側に延びだして形成されている。接合部１１ｇには、図２（ａ）に示すように、切り欠き穴１１ｈが、上述の穴１１Ｈと対応する位置に４箇所設けられている。すなわち、切り欠き穴１１ｈも、穴１１Ｈと同様に、太陽電池モジュール１の幅方向の中心Ｃを基準にして対称に設けられ、それぞれ幅方向中心Ｃから距離Ｌ，２Ｌ離れた位置に形成されている。この切り欠き穴１１ｈは、接合部１１ｇの下端部側に開口を有する長孔となっている。これにより、接合部１１ｇを隣り合う下側の太陽電池モジュール１のモジュール取付部１１ｂ上に載置して、穴１１Ｈと切り欠き穴１１ｈとの位置を合わせてねじ止めすることで、隣り合う上下の太陽電池モジュール１を固定することができる。なお、この際、切り欠き穴１１ｈが縦長の穴となっているため、太陽電池モジュール１１の縦方向のズレを調整することができる。特に、係合部１１ｄが縦材２の係合部２１との係合状態により、太陽電池モジュール１の位置が上下に多少ずれた場合であっても、この切り欠き穴１１ｈが縦長の穴となっているため、穴１１Ｈと切り欠き穴１１ｈとの位置決めがし易く、作業効率を高めることができる。
【００１８】
次に、本発明にかかる太陽電池モジュール１の取り付け、配線の方法の一例について図を参照して説明する。
本例は、瓦屋根に対して太陽電池ジュール１を取り付ける場合の例である。
まず、図６（ａ）に示すようにまず、屋根上に固定金具３を取り付ける。
この場合、固定金具３を取り付ける位置を決め、その部分の瓦を一旦取り去って、固定金具３を屋根の野地板を介して垂木Ｔに取り付ける。この垂木Ｔの位置は木摺Ｋで確認する。また、ちょうど垂木Ｔがない部分では、垂木Ｔと垂木Ｔの間に渡した補強板Ｓの上に固定金具３を取り付け、瓦を元に戻して嵌め込む。
【００１９】
固定金具３の取り付が完了したところで、図６（ｂ）に示すように縦材２を固定金具３に取り付ける。
この取付は、固定金具３側から差し込みボルトＢを縦材２の長孔２２側に通して、座金とナットにより縦材２上部から固定する。
縦材２を屋根の幅に合わせて一直線に配置するためには、縦材２を複数繋いで固定することで、屋根の広さに応じて一直線状に取り付けることができる。これにより、屋根上には、図５に示すように複数条の縦材２がそれぞれ平行に取り付けられた状態となる。
また、最も軒側の縦材２の下端部には、図７に示すようにスタートカバー４を縦材２の最も軒側の係合部２１に取り付け、更に押さえ金具により固定する。
【００２０】
縦材２及びスタートカバー４の取り付けが完了すると、軒側から順に太陽電池モジュール１を取り付けていく。
この場合、図８に示すように、太陽電池モジュール１を縦材２上に仮置し、その状態で太陽電池モジュール１をわずかに上側にずらすことで、係合部１１ｅを縦材２の係合片２１に引っ掛ける。
そして、太陽電池モジュール１の基底部１１ｅを押さえ金具で押さえて、この押さえ金具をねじ止めすると共に、フレーム１１の載置部１１ｇをスタートカバー４に固定する。これにより、スタートカバー４を介して、太陽電池モジュール１が縦材２上に固定される。
【００２１】
この際、図９に示すように２つの穴１００からケーブル１４を引き出す。この状態で、既に左右いずれかに配置されている太陽電池モジュール１がある場合には、既に取り付けられている太陽電池モジュール１のケーブル１４と、今取り付けている太陽電池モジュール１のケーブル１４とを、各ケーブル１４のコネクタで繋ぐことにより電気的に接続する。
この場合、例えば、＋側のケーブル１４を左の穴１００から引き出して、左隣の太陽電池モジュール１と接続する。一方右側の穴１００からは−側のケーブル１４を引き出して右隣の太陽電池モジュール１に接続する。
そして、このケーブル１４は、モジュール取付部１１ｂと基底部１１ｅとの間の溝に沿って、ガイドされて左右に引き回される。つまり、この柱部１１ｃにより太陽電池モジュール１の上端部が持ち上げられているため、その持ち上げられた空間にケーブル１４が位置して、これにガイドされて引き回される。したがって、ケーブル１４は、まっすぐに隣り合う太陽電池モジュール１のケーブルと接続することができる。
そして、最終端の太陽電池モジュール１のケーブル１４が集電ケーブルに接続されて、接続箱５へ接続されることで、屋根全体の太陽電池モジュール１により発電した電力を集電することができる。
【００２２】
この状態からさらに棟側に向かって太陽電池モジュール１を取り付ける場合には、図１０（ａ）に示すように、まず取り付ける太陽電池モジュール１を縦材２上に仮置きする。そして、図１０（ｂ）に示すように太陽電池モジュール１を少し上側にずらし、それを図１０（ｃ）に示すように太陽電池モジュール１を下側に戻すことで係合部１１ｄを係合部２１に引っ掛ける。このとき、係合部２１は、太陽電池モジュール１の幅（モジュール取付部１１ｂ先端から接合部１１ｇまでの幅から接合部分１１ｇの幅を引いた長さの幅）の間隔で設けられている。そのため、先に取り付けた下側（軒側）の太陽電池モジュール１のモジュール取付部１１ｂ上に、これから取り付ける上側（棟側）の太陽電池モジュール１の接合部１１ｇが重なるようになる。
この状態で、図１１に示すように、既に取り付けられている下側の太陽電池モジュール１の穴１１Ｈに対して、これから取り付ける上側の太陽電池モジュール１の切り欠き穴１１ｈの位置を合わせて、位置決めしたうえでねじ止めして固定する。また、基底部１１ｅを押さえ金具により押さえて、この押さえ金具をねじ止めすることにより、太陽電池モジュール１を縦材２に固定することができる。
この位置決めを行う場合、係合部１１ｄを係合部２１に係合させた状態で、上側の太陽電池モジュール１を動かすことで切り欠き穴１１ｈの位置あわせができるため、簡単かつ効率的に位置決めできる。
【００２３】
また、図９に示すように、最初の太陽電池モジュール１を取り付けた場合と同様に、穴１００からケーブル１４を引き出し、例えば、左右に隣り合う太陽電池モジュール１を直列に接続する。そして、最終端の太陽電池モジュール１のケーブル１４から、接続箱５へ接続することで、屋根全体の太陽電池モジュール１により発電した電力を集電して送電することができる。
そして、図１１に示すように、上述と同様の手順で、太陽電池モジュール１を軒側から棟側に向かって順に取り付けていき、屋根全体に太陽電池モジュール１を取り付け、取り付け作業が完了する。
【００２４】
次に、取付られた複数の太陽電池モジュール１の中から１枚の太陽電池モジュール１を取り外してメンテナンス又は交換する場合の手順について説明する。
図１３において、太陽電池モジュール１を取り外す場合には、まず図１３（ａ）に示すように、当該取り外す対象の太陽電池モジュール１のモジュール取付部１１ｂと接合部１１ｇのねじを取り外す。
また、当該太陽電池モジュール１と隣り合う上側（棟側）太陽モジュール１の取付部１１ｂのねじを取り外す。
【００２５】
ねじの取り外しが完了したら、図１３（ｂ）に示すように、隣り合う上側の太陽電池モジュール１の下端部を持ち上げ、取り外す対象の太陽電池モジュール１を上側にずらして、係合部１１ｂが係合部２２から外れた状態となる。
なお、隣り合う上側の太陽電池モジュール１は、その係合部１１ｄが、係合部２１に係合したままの状態であるから、この係合している部分を支点にして下端部が持ち上げることができる。
またこの際、ケーブル１４は、基底部１１ｅに引っかかるようにして、太陽電池モジュール１を持ち上げると一緒に持ち上げられ、ケーブル１４のコネクタが露出するので、このコネクタを外すことで隣のケーブル１４との接続を外すことができる。
【００２６】
図１３（ｃ）に示すように、係合部２１から外れた状態で、太陽電池モジュール１を外すことで、太陽電池モジュール１を取り出すことができる。
この場合、取り外した太陽電池モジュール１の上下の太陽電池モジュール１、特に隣り合う上側の太陽電池モジュール１は、その係合部１１ｄが縦材２の係合部２１に係合していることから、取り外す太陽電池モジュール１と一緒に外れたり、またこの太陽電池モジュール１につられてズレてしまうなどということがない。
また、作業者にとっても、ねじを外して持ち上げるだけでよいから、その取り外し作業はきわめて簡単で、かつ効率が良くなる。
【００２７】
さらに、取り外した部分に、再度新しい又は修理・点検した太陽電池モジュール１を嵌めこむ場合には、上述と逆の工程により取り付けることができる。
この場合、まず、隣り合う上側の太陽電池モジュール１の下端部を持ち上げて、その持ち上げたところに取り付ける太陽電池モジュール１を仮置きし、この状態で太陽電池モジュール１を少し上にずらすことで、係合部１１を係合部２１に引っ掛ける。この状態で、ケーブル１４を左右の太陽電池モジュール１と接続する。
この際に、穴１００から引き出したケーブル１４を左右に隣り合う太陽電池モジュール１のケーブル１４と接続する。この場合も、ケーブル１４は、モジュール取付部１１ｂと基底部１１ｅとの間の溝に沿って、ガイドされて左右に引き回すことができる。
そして、隣り合う上側の太陽電池モジュール１の下端部を下ろし、当該太陽電池モジュール１の上端のモジュール取付部１１ｂ上に、隣り合う上側の太陽電池モジュール１の接合部１１ｇを重ねる。
当該太陽電池モジュール１の取付部１１ｂと接合部１１ｇ及び、隣り合う太陽電池モジュール１のモジュール取付部をねじ止めする。これにより、取付後に太陽電池モジュール１を新しい太陽電池モジュール１に取り替えたり、またその点検や修理を行う際にも、簡単に太陽電池モジュール１を取付することができる。
【００２８】
上述の実施形態では、太陽電池モジュール１を縦横に一列に配置する例について説明したが、これに限らず、一列ごとに１／２づつずらして千鳥状に配置することもできる。
また、太陽電池モジュール１を屋根でなくともどこにも取り付けることができる。
【００２９】
また、穴１００は太陽電池モジュール１００の上端部でなく、下端部に設けるようにしてもよい。
また、ケーブル１４の接続は、隣り合う太陽電池モジュール１同士で接続しなくとも、各太陽電池モジュールごとに集電ケーブルに接続してもよい。
【図面の簡単な説明】
【００３０】
【図１】本発明にかかる太陽電池モジュールを屋根に取り付けた状態を示す全体図。
【図２】（ａ）本実施形態にかかる太陽電池モジュールの正面図。              （ｂ）本実施形態にかかる太陽電池モジュールの右側面図。              （ｃ）本実施形態にかかる太陽電池モジュールの上端平面図。
【図３】（ａ）本実施形態にかかる太陽電池モジュールのフレームの上端部の側面図。（ｂ）本実施形態にかかる太陽電池モジュールのフレームの下端部の側面図。
【図４】本実施形態にかかる太陽電池モジュールの背面図。
【図５】本実施形態にかかる縦材の取り付け状態を表す平面図。
【図６】（ａ）本実施形態にかかる固定金具の取り付け状態を示した分解斜視図。              （ｂ）固定金具に縦材を取り付ける際の工程を示した斜視図。
【図７】本実施形態にかかる縦材にスタートカバーを取り付ける工程を示した斜視図。
【図８】本実施形態にかかる縦材及びスタートカバーに、太陽電池モジュールを取り付けるところを示した斜視図。
【図９】本実施形態にかかるケーブルを穴から引き出して接続する様子を示した斜視図。
【図１０】本実施形態にかかる太陽電池モジュールを取り付ける工程を示した側面図。
【図１１】本実施形態にかかる太陽電池モジュールを取り付け状態の分解斜視図。
【図１２】本実施形態にかかる太陽電池モジュールの取り付け状態を示した側面図。
【図１３】本実施形態にかかる太陽電池モジュールの一部を取り外す工程を示した側面図。
【符号の説明】
【００３１】
１        太陽電池モジュール
２        縦材
３        固定金具
４        スタートカバー
５        接続箱
１１      フレーム
１１ａ    基板取付部
１１ｂ    モジュール取付部
１１ｃ    柱部
１１ｄ    基底部
１１ｅ    基板取付部
１１ｆ    柱部
１１ｇ    接合部
１１ｈ    切り欠き穴
１１Ｈ    穴
１１ｊ    基板支持部
１２      太陽電池基板
１３      背面材
１４      ケーブル
１５      端子箱
２１      係合部
２２      長孔
２３      ねじ穴
３０      屋根
１００    穴
Ｔ        垂木
Ｓ        補強板
Ｂ        ボルト
Ｋ        木摺
【図１】
2008088686.tif 000003
【図２】
2008088686.tif 000004
【図３】
2008088686.tif 000005
【図４】
2008088686.tif 000006
【図５】
2008088686.tif 000007
【図６】
2008088686.tif 000008
【図７】
2008088686.tif 000009
【図８】
2008088686.tif 000010
【図９】
2008088686.tif 000011
【図１０】
2008088686.tif 000012
【図１１】
2008088686.tif 000013
【図１２】
2008088686.tif 000014
【図１３】
2008088686.tif 000015
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
太陽電池基板と、この太陽電池基板をフレームにより保持する太陽電池モジュールであって、
上記フレームから外側に延び出して形成され、その上面に隣り合う太陽電池モジュールを取り付けるための取付部と、上記フレームの側面から垂直に延び出した板状の柱部と、当該柱部の下端から上記取付部に平行に外側に向かって延び出した基底部とにより、上記フレームと一体にガイド溝が形成されており、
上記柱部の上記フレームの一側面部に、上記太陽電池基板により発電された電力を外部に送電するためのケーブルを引き出すための引出穴が形成されており、
上記ガイド溝は、上記太陽電池モジュールを取り付け又は取り外す際に、上記引出穴から引き出したケーブルを引っ掛けて引き回した状態で、上記太陽電池モジュールと一緒にケーブルを移動させる、
ことを特徴とする太陽電池モジュール。
【手続補正２】
【補正対象書類名】明細書
【補正対象項目名】０００６
【補正方法】変更
【補正の内容】
【０００６】
上記目的を達成するため、本発明の一の観点にかかる太陽電池モジュールは、太陽電池基板と、この太陽電池基板をフレームにより保持する太陽電池モジュールであって、上記フレームから外側に延び出して形成され、その上面に隣り合う太陽電池モジュールを取り付けるための取付部と、上記フレームの側面から垂直に延び出した板状の柱部と、当該柱部の下端から上記取付部に平行に外側に向かって延び出した基底部とにより、上記フレームと一体にガイド溝が形成されており、上記柱部の上記フレームの一側面部に、上記太陽電池基板により発電された電力を外部に送電するためのケーブルを引き出すための引出穴が形成されており、上記ガイド溝は、上記太陽電池モジュールを取り付け又は取り外す際に、上記引出穴から引き出したケーブルを引っ掛けて引き回した状態で、上記太陽電池モジュールと一緒にケーブルを移動させることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】